(57)【特許請求の範囲】
【請求項１】
前面と背面とを貫通する開口部と、前記開口部の周りで前記背面から平面視略Ｌ字状に立ち上がった当て壁を有する複数のリブと、を有する意匠ベゼルと、
前記開口部に配置された保護板を有し、前記意匠ベゼルの後方に配置された表示モジュールと、
前記表示モジュールの後方に配置された収縮抑制部材とを備え、
前記収縮抑制部材は、側方から前記当て壁の内周面に接触して前記リブに軽圧入状態で保持され、前記意匠ベゼルから収縮方向の力を受けても変形しない剛性と前記意匠ベゼルの線膨張係数よりも小さい線膨張係数とを有することを特徴とする表示機器。
【請求項２】
前面と背面とを貫通する開口部と、前記開口部の周りで前記背面から平面視略Ｌ字状に立ち上がった当て壁を有する複数のリブと、を有する意匠ベゼルと、
前記開口部に配置された保護板を有し、前記意匠ベゼルの後方に配置された表示パネル部と、
前記表示パネル部の後方に配置されたバックライト部とを備え、
前記バックライト部は、
側方から前記当て壁の内周面に接触して前記リブに軽圧入状態で保持され、前記意匠ベゼルから収縮方向の力を受けても変形しない剛性と前記意匠ベゼルの線膨張係数よりも小さい線膨張係数とを有する収縮抑制部材、を有することを特徴とする表示機器。
【請求項３】
前記バックライト部は、前記意匠ベゼルを介して前記表示パネル部に対して固定されていることを特徴とする請求項２記載の表示機器。
【請求項４】
前記リブは、平面視矩形状の前記開口部の四隅周りに設けられており、
前記収縮抑制部材は、四隅の側方から前記リブに挟まれていることを特徴とする請求項１記載の表示機器。
【請求項５】
前記リブは、平面視矩形状の前記開口部の四隅周りに設けられており、
前記収縮抑制部材は、四隅の側方から前記リブに挟まれていることを特徴とする請求項２記載の表示機器。
【請求項６】
前記バックライト部は、前記表示パネル部が配置され得る範囲を照射することを特徴とする請求項３記載の表示機器。
【請求項７】
前記意匠ベゼルと前記表示パネル部との間に、金属製のフロントベゼルが配置されていることを特徴とする請求項３記載の表示機器。
【発明の詳細な説明】
【技術分野】
【０００１】
この発明は、意匠ベゼルが有する開口部に保護板が配置される表示機器に関するものである。
【背景技術】
【０００２】
例えば特許文献１には、矩形枠状のベゼルカバーを液晶表示パネルの前面の縁部に備えた表示装置が記載されている。従来、装置外部からの衝撃等に対する保護、意匠性の向上及び光学特性の向上等を目的として、さらに液晶表示パネルの前面に透明な保護板を設けることがある。その際、意匠ベゼルが有する開口部に保護板は配置され、この保護板と矩形枠状の意匠ベゼルとが段差無くかつ隙間無く設けられるような、シームレスなデザインが好まれている。
【先行技術文献】
【特許文献】
【０００３】
【特許文献１】特開２００６―１０６４１７号公報
【発明の概要】
【発明が解決しようとする課題】
【０００４】
しかしながら、保護板と意匠ベゼルとが互いに異種材料で構成されている場合、周囲温度が低下して両者が収縮する際に、線膨張係数の差に起因して収縮度合いに差が発生する。例えば、保護板はガラス製、意匠ベゼルは樹脂製となっていることが多い。ガラスは線膨張係数が小さく、樹脂は線膨張係数が大きい。つまり、保護板及び意匠ベゼルが収縮する際、保護板は収縮度合いが小さいが、意匠ベゼルは収縮度合いが大きくなる。このため、保護板と意匠ベゼルとの間に設けた隙間が小さいと、保護板と意匠ベゼルとが接触して、接触箇所の周りで応力が発生する。特に意匠ベゼルの開口部の四隅周りで大きな応力が発生して、意匠ベゼルの意匠面である前面にクラックが発生することがある。【０００５】
この発明は、上記のような課題を解決するためになされたもので、意匠ベゼルの前面にクラックが発生しにくい表示機器を得ることを目的とする。
【課題を解決するための手段】
【０００６】
この発明に係る表示機器は、前面と背面とを貫通する開口部と、開口部の周りで背面から平面視略Ｌ字状に立ち上がった当て壁を有する複数のリブと、を有する意匠ベゼルと、開口部に配置された保護板を有し、意匠ベゼルの後方に配置された表示モジュールと、表示モジュールの後方に配置された収縮抑制部材とを備え、収縮抑制部材は、側方から前記当て壁の内周面に接触して前記リブに軽圧入状態で保持され、意匠ベゼルから収縮方向の力を受けても変形しない剛性と意匠ベゼルの線膨張係数よりも小さい線膨張係数とを有することを特徴とするものである。
【発明の効果】
【０００７】
この発明によれば、意匠ベゼルの背面からリブが立ち上がり、意匠ベゼルから収縮方向の力を受けても変形しない剛性と意匠ベゼルの線膨張係数よりも小さい線膨張係数とを有する収縮抑制部材が、側方からリブに挟まれているので、意匠ベゼルの前面にクラックが発生しにくい。
【図面の簡単な説明】
【０００８】
【図１】この発明の実施の形態１に係る表示機器の全体斜視図である。
【図２】この発明の実施の形態１に係る表示機器の分解斜視図である。
【図３】この発明の実施の形態１に係る表示機器の分解斜視図である。
【図４】意匠ベゼルの平面図である。
【図５】図３の部分Ａを拡大した図である。
【図６】この発明の実施の形態１に係る表示機器の断面図である。
【図７】参考例である表示機器の分解斜視図である。
【図８】参考例である表示機器が有する意匠ベゼルの平面図である。
【図９】参考例である表示機器の断面図である。
【図１０】この発明の実施の形態１に係る表示機器の変形例を示す断面図である。
【図１１】リブの変形例を示す平面図である。
【図１２】表示モジュールの平面図である。
【図１３】表示モジュールの分解斜視図である。
【図１４】表示モジュールの断面図である。
【図１５】理想的に組立てられた表示モジュールと、意匠ベゼルとを組み付けた状態の断面図である。
【図１６】この発明の実施の形態２に係る表示機器の分解斜視図である。
【図１７】この発明の実施の形態２に係る表示機器の断面図である。
【図１８】この発明の実施の形態２に係る表示機器の変形例を示す分解斜視図である。
【図１９】この発明の実施の形態２に係る表示機器の変形例を示す断面図である。
【発明を実施するための形態】
【０００９】
以下、この発明をより詳細に説明するために、この発明を実施するための形態について、添付の図面に従って説明する。
実施の形態１．
図１は、この発明の実施の形態１に係る表示機器１の全体斜視図である。図２及び図３は、表示機器１の分解斜視図である。図２は表示機器１を前方から見た際の分解斜視図であり、図３は表示機器１を後方から見た際の分解斜視図である。前方は、表示機器１から見て、表示機器１の表示を見るユーザが存在する方向を指す。後方は、表示機器１から見て、前方とは反対の方向を指す。また、前方及び後方に略直交する方向が側方となる。表示機器１は、例えば車載の表示機器として使われ、意匠ベゼル２と表示モジュール３と収縮抑制部材４とを有する。
表示モジュール３は意匠ベゼル２の後方に配置され、収縮抑制部材４は表示モジュール３の後方に配置される。
【００１０】
意匠ベゼル２は、略矩形枠状であり、意匠ベゼル２の前面と背面とを貫通する開口部２０を略中央に有する。開口部２０から、表示モジュール３の表示面が露出する。図４は、意匠ベゼル２を後方から見た際の平面図である。略矩形枠状の枠本体２１が形成する開口部２０の周りで、４つのリブ２２が意匠ベゼル２の背面からそれぞれ立ち上がっている。意匠ベゼル２が有する４つのリブ２２は、平面視矩形状の開口部２０の四隅周りに１つずつ設けられている。ここで、平面視矩形状は、平面視略矩形状を含む。４つのリブ２２が囲む平面視矩形状の空間に、表示モジュール３と収縮抑制部材４とが納められる。
【００１１】
図５は、リブ２２を示す斜視図である。図５は、図３の部分Ａを拡大したものに相当する。リブ２２は、意匠ベゼル２の背面から平面視略Ｌ字状に立ち上がった当て壁２３を有する。当て壁２３は、後述の図６で示すように、内周面が収縮抑制部材４と接触する。また、リブ２２は、意匠ベゼル２の背面から立ち上がって当て壁２３の外周面と略直角に交わる４つの支持壁２４を有する。
意匠ベゼル２は、例えば樹脂製であり、枠本体２１に４つのリブ２２が一体的に成形されている。
【００１２】
表示モジュール３は、最前方に保護板３０が設けられ、略矩形枠状の静電気対策を兼ねたカバー板金３１により後述のタッチパネル３２、液晶パネル３３、光学部材３４及び金属部材３５等がモジュール化された、平面視矩形状の板状部材である。保護板３０は、意匠ベゼル２よりも線膨張係数が小さく、例えばガラス製である。
収縮抑制部材４は、前方に向けて開口した空間４０を有する、平面視矩形状の容器状の部材である。空間４０には、表示モジュール３が収納される。収縮抑制部材４は、例えばアルミ等の金属製であり、後述するように、意匠ベゼル２から収縮方向の力を受けても変形しない剛性と、意匠ベゼル２の線膨張係数よりも小さい線膨張係数とを有する。
【００１３】
図６は、意匠ベゼル２と表示モジュール３と収縮抑制部材４とを組み立てて、表示機器１とした際の断面図である。図６は、図４に示す切断線Ｂ−Ｂの位置で、意匠ベゼル２を含む表示機器１が切断されたものに相当する。
表示モジュール３は、保護板３０と、カバー板金３１と、タッチパネル３２と、液晶パネル３３と、光学部材３４と、金属部材３５と、樹脂フレーム３６とを有する。
【００１４】
保護板３０とタッチパネル３２とは、透明粘着層３７により接着されている。なお、図示を省略したが、タッチパネル３２と液晶パネル３３との間にも、透明粘着層３７と同様の透明粘着層が設けられている。
液晶パネル３３の後方には、樹脂フレーム３６から伸びるリブ３８を挟んで、光学部材３４が設けられている。光学部材３４は、導光板及び光学シート等を有する。金属部材３５は、例えばアルミ製であり、光学部材３４の背面及び側面を覆うように設けられている。金属部材３５は、表示モジュール３の蓋となるとともに、放熱の促進も担う。
不図示となっているが、光学部材３４が有する導光板の側方には、ＬＥＤ（Ｌｉｇｈｔ  Ｅｍｉｔｔｉｎｇ  Ｄｉｏｄｅ）等の発光体が設けられており、当該発光体が発した光が、液晶パネル３３に照射される。
【００１５】
表示機器１の組立状態において、表示モジュール３の保護板３０は、意匠ベゼル２の開口部２０に配置されている。また、表示機器１の組立状態において、表示モジュール３の後方は、収縮抑制部材４に覆われている。この状態で、保護板３０は、意匠ベゼル２の開口部２０の縁と小さな隙間Ｓ１を空けて配置されている。また、収縮抑制部材４は、各リブ２２の当て壁２３の内周面に接触して、四隅の側方から４つのリブ２２に挟まれた軽圧入状態となっている。
【００１６】
表示機器１の周囲温度が低下すると、表示機器１の各部材は収縮する。その際、例えば樹脂製の意匠ベゼル２と、例えばガラス製の保護板３０とは、異なる収縮度合いで収縮しようとする。具体的には、樹脂製の意匠ベゼル２の方が、ガラス製の保護板３０より大きく収縮しようとする。
一方、収縮抑制部材４は、温度低下により収縮しようとする意匠ベゼル２から収縮方向の力を受けても変形しない剛性と、意匠ベゼル２の線膨張係数よりも小さい線膨張係数とを有する。また、意匠ベゼル２は、収縮抑制部材４に各リブ２２の内周面が接触している。したがって、意匠ベゼル２の収縮は、収縮抑制部材４によって抑制される。
【００１７】
ここで、図７、図８及び図９に、この発明の実施の形態１に係る表示機器１の理解を助けるための参考例を示す。図７は、参考例である表示機器１００の分解斜視図である。図８は、参考例である表示機器１００が有する意匠ベゼル２００を後方から見た際の平面図である。図９は、参考例である表示機器１００の断面図である。なお、図７、図８及び図９において図１〜図６と同一又は相当する部分については同一の符号を付し、その説明を省略又は簡略化する。
【００１８】
表示機器１００は、意匠ベゼル２００と表示モジュール３とを有するが、表示機器１と異なり収縮抑制部材４を有しない。意匠ベゼル２００は、略矩形枠状の枠本体２１を有するが、意匠ベゼル２と異なりリブ２２を有しない。意匠ベゼル２００は、意匠ベゼル２と同様に例えば樹脂製である。
【００１９】
図９に示すように、表示機器１００の状態で、保護板３０は、意匠ベゼル２００の開口部２０の縁と小さな隙間Ｓ２を空けて配置されている。
表示機器１００では、周囲温度が低下した際に、意匠ベゼル２００が、リブ２２及び収縮抑制部材４に抑制されることなく収縮を始める。樹脂製の意匠ベゼル２００は、ガラス製の保護板３０に比べて大きく収縮するので、保護板３０の側面にやがて接触する。すると、特に意匠ベゼル２００の開口部２０の四隅周りで大きな応力が発生し、意匠ベゼル２００の前面及び背面における開口部２０の四隅周りにクラックが発生する。また、意匠ベゼル２００から収縮方向の力を受けて保護板３０が反って、表示ムラが発生する。
【００２０】
これに対し、実施の形態１に係る表示機器１は、各リブ２２及び収縮抑制部材４が意匠ベゼル２の収縮を抑制するので、保護板３０と意匠ベゼル２の開口部２０の縁との間にある隙間Ｓ１が維持される。したがって、意匠ベゼル２の開口部２０の四隅周りにおける応力の発生を抑制することができ、意匠ベゼル２の意匠面である前面に、クラックが発生しにくい。また、保護板３０の反りも抑制されるので、表示ムラも発生しにくい。
収縮抑制部材４は、意匠ベゼル２の収縮を抑制する以外にも、表示モジュール３の放熱を促進したり、表示モジュール３を保護したり、電磁シールドとして機能したりする。
また、図６に示すように、表示モジュール３と収縮抑制部材４との間に隙間Ｓ３ができるような寸法設計にすると、表示機器１の各部材に公差等があっても、保護板３０と意匠ベゼル２の開口部２０の縁との間にある隙間Ｓ１を小さくしつつ、各リブ２２に収縮抑制部材４が軽圧入された状態に組み立てやすくなる。
【００２１】
なお、上記では、表示機器１が液晶方式の表示を行うものとしたが、有機ＥＬ（Ｅｌｅｃｔｒｏ  Ｌｕｍｉｎｅｓｃｅｎｃｅ）方式及びプラズマ方式等での表示を行うものであってもよい。
【００２２】
また、収縮抑制部材４は、意匠ベゼル２から収縮方向の力を受けても変形しない剛性と意匠ベゼル２の線膨張係数よりも小さい線膨張係数とを有していればよく、ガラスフィラー入りの樹脂、又は、カーボンフィラー入りの樹脂等で作られていてもよい。カーボンフィラー入りであると、表示モジュール３の放熱を促進する観点でより好ましい。また収縮抑制部材４の線膨張係数は、意匠ベゼル２の線膨張係数よりも小さいことに加え、保護板３０の線膨張係数に近いと好ましい。収縮抑制部材４の線膨張係数と保護板３０の線膨張係数とが近いと、保護板３０と意匠ベゼル２の開口部２０の縁との間にある隙間Ｓ１が収縮前後でほぼ一定幅に維持されるので、意匠の観点で好ましい。
【００２３】
また、リブ２２が収縮抑制部材４を当該収縮抑制部材４の側方から挟んで、意匠ベゼル２の収縮を抑制できるのであれば、リブ２２の個数及び位置等は図示したものに限らない。
例えば、図示したように四隅に設けた４つのリブ２２に加え、図４に示す中央部Ｃにリブ２２を設けてもよい。このようにすることで、意匠ベゼル２の収縮を更に抑制することができる。
また例えば、開口部２０の全周を囲む、環状の１つのリブを設けてもよい。この場合、開口部２０を平面視略楕円形等、種々の形状としてもよい。
【００２４】
また、後述の実施の形態２で示すように、表示パネル部３Ａとバックライト部３Ｂとを表示モジュール３としてモジュール化せず、別部材の状態で意匠ベゼル２と組み付ける構成としてもよい。
【００２５】
また、表示モジュール３において、保護板３０とそれ以外の部材との相対的な大きさの関係は、様々でよい。図６では、保護板３０の外形は、液晶パネル３３等の外形よりも小さくなっている。しかし図１０に示すように、保護板３０の外形が、液晶パネル３３等の外形よりも大きくてもよい。
【００２６】
また、図１１に示すように、各リブ２２の内周面に更に４つの細リブ２５を設け、収縮抑制部材４が、各細リブ２５と接触して軽圧入された状態としてもよい。
【００２７】
以上のように、この発明の実施の形態１に係る表示機器１によれば、意匠ベゼル２の背面にリブ２２を設け、意匠ベゼル２から収縮方向の力を受けても変形しない剛性と意匠ベゼル２の線膨張係数よりも小さい線膨張係数とを有する収縮抑制部材４が、当該収縮抑制部材４の側方からリブ２２に挟まれることとした。したがって、意匠ベゼル２の前面にクラックが発生しにくい。
【００２８】
また、リブ２２は、平面視矩形状の開口部２０の四隅周りに設けられており、収縮抑制部材４は、四隅の側方からリブ２２に挟まれていることとした。特に大きい応力が発生する位置にリブ２２を設けることで、効果的にクラックを発生しにくくすることができる。
【００２９】
実施の形態２．
実施の形態１では、意匠ベゼル２の収縮を抑制するための収縮抑制部材４が、表示モジュール３とは別体の部材となっている場合について説明した。実施の形態２では、実施の形態１において表示モジュール３が有していた金属部材３５に相当する部材を収縮抑制部材として利用する場合について説明する。なお、実施の形態１で既に説明した構成と同一又は相当する機能を有する構成については、同一の符号を付し、その説明を省略又は簡略化する。
図１２は、カバー板金３１と、表示パネル部３Ａと、バックライト部３Ｂとで表示モジュールを構成する場合の当該表示モジュールを前方から見た際の平面図である。図１３は、図１２の表示モジュールの分解斜視図である。図１４は、図１２に示す切断線Ｄ−Ｄの位置で図１２の表示モジュールを切断した際の断面図である。
【００３０】
表示パネル部３Ａは、保護板３０と、タッチパネル３２と、液晶パネル３３とを有する。
バックライト部３Ｂは、光学部材３４と、金属部材３５と、樹脂フレーム３６とを有する。金属部材３５は、実施の形態１の収縮抑制部材４と同様に、意匠ベゼル２から収縮方向の力を受けても変形しない剛性と、意匠ベゼル２の線膨張係数よりも小さい線膨張係数とを有する。
【００３１】
実施の形態１のように表示モジュールを構成する場合、表示機器１ａを組み立てる前に、例えば、表示パネル部３Ａ、バックライト部３Ｂ及びカバー板金３１を予め組み立てて、モジュール化することとなる。しかし、その際、表示モジュールを構成する各部材の公差、及び、モジュール化する際の組立誤差等によって、表示パネル部３Ａとバックライト部３Ｂとの位置関係には、バラつきが発生する。そのため、図１４中の距離Ｗにバラつきが発生する。
【００３２】
ここで、図１５に、理想的な位置関係で各部材が組立てられた表示モジュールと、意匠ベゼル２とを組み付けた状態の断面図を示す。この場合、距離Ｗは理想的な値となっており、保護板３０は、意匠ベゼル２の開口部２０の縁との隙間Ｓ４が意匠上好ましい小ささになるような位置に、カバー板金３１は、リブ２２に接触して軽圧入状態となるような位置に組み立てられる。意匠ベゼル２から収縮方向の力を受けても変形しない剛性と、意匠ベゼル２の線膨張係数よりも小さい線膨張係数とを有する金属部材３５が、側方からリブ２２に挟まれた状態となるので、意匠ベゼル２の収縮が抑制される。
【００３３】
しかしながら、現実には上記したように距離Ｗにバラつきが生じることから、図１５に示すように保護板３０と意匠ベゼル２の開口部２０の縁との隙間Ｓ４を小さくし、かつ、カバー板金３１がリブ２２に接触するように組み立てることは難しい。隙間Ｓ４を小さくする寸法とした場合、距離Ｗに生じるバラつきを考慮して、カバー板金３１とリブ２２との間隔を広げる必要があり、カバー板金３１とリブ２２とが接触するような組み立てができない。また、カバー板金３１とリブ２２とが接触するような寸法とした場合は逆に、距離Ｗに生じるバラつきを考慮して、意匠ベゼル２の開口部２０を保護板３０に対して大きい寸法としておく必要があり、隙間Ｓ４を小さくすることができない。
【００３４】
そこで、実施の形態２では、表示パネル部３Ａとバックライト部３Ｂとを表示モジュールとしてモジュール化せず、別部材の状態で意匠ベゼル２と組み付ける構成とする。
図１６は、実施の形態２に係る表示機器１ａの分解斜視図である。表示機器１ａは、意匠ベゼル２と、意匠ベゼル２の後方に配置された表示パネル部３Ａと、表示パネル部３Ａの後方に配置されたバックライト部３Ｂとを有する。表示パネル部３Ａとバックライト部３Ｂとをモジュール化しないので、カバー板金３１は不要となっている。
【００３５】
図１７は、表示機器１ａの断面図である。表示パネル部３Ａとバックライト部３Ｂとはモジュール化されていないので、表示パネル部３Ａを意匠ベゼル２に仮配置した後に、バックライト部３Ｂを組み付ける構成となっている。したがって、保護板３０と意匠ベゼル２の開口部２０の縁との隙間Ｓ５が小さくなるように、表示パネル部３Ａをまず配置してから、樹脂フレーム３６がリブ２２に接触して軽圧入状態となるように、バックライト部３Ｂを組み付けることができる。このように、表示機器１ａとして組み立てる前は、表示パネル部３Ａとバックライト部３Ｂとの互いの位置が固定されてはおらず、表示機器１ａとして組み立てられたときに、軽圧入状態のバックライト部３Ｂは、意匠ベゼル２を介して表示パネル部３Ａに対して固定されることになる。
これにより、意匠ベゼル２から収縮方向の力を受けても変形しない剛性と、意匠ベゼル２の線膨張係数よりも小さい線膨張係数とを有する金属部材３５が、樹脂フレーム３６を介して金属部材３５の側方からリブ２２に挟まれた状態となって、金属部材３５は、意匠ベゼル２の収縮を抑制する収縮抑制部材として機能する。
【００３６】
このように、バックライト部３Ｂが有する金属部材３５を利用して、実施の形態１と同様の効果を得ることができる。また、保護板３０と意匠ベゼル２の開口部２０の縁との隙間Ｓ４を小さくし、かつ、カバー板金３１がリブ２２に接触するように組み立てることが容易になる。
なお、表示パネル部３Ａの背面には、縁部に沿って、例えばウレタン製のクッション５が貼り付けられている。表示パネル部３Ａとバックライト部３Ｂとの間にクッション５が挟まれることで、表示パネル部３Ａとバックライト部３Ｂとの間に異物が入り込みにくくなる。クッション５は、表示パネル部３Ａの背面に代えて、バックライト部３Ｂの表面に貼り付けられていてもよい。
【００３７】
また、表示パネル部３Ａは、表示機器１ａとして組み立てる前は、バックライト部３Ｂに対して位置が固定されていない。このため、表示機器１ａとして組み立てられた状態で、バックライト部３Ｂから見て相対的な位置がずれ得る。この位置ずれを考慮して、バックライト部３Ｂは、表示パネル部３Ａが配置され得る範囲を照射できるような、広範囲を照射するものであると好ましい。
【００３８】
また、図１８の分解斜視図、及び図１９の断面図に示すように、意匠ベゼル２と表示パネル部３Ａとの間に、金属製のフロントベゼル６が配置されていてもよい。フロントベゼル６により、カバー板金３１と同等の静電気対策が可能である。また、フロントベゼル６とバックライト部３Ｂとに挟まれて、表示パネル部３Ａは、保護板３０と意匠ベゼル２の開口部２０の縁との隙間Ｓ５でよりがたつくことなく保持される。なお、図１７で示した構成の場合は、図１９に示すフロントベゼル６の位置まで意匠ベゼル２を厚くすることで、フロントベゼル６が配置される場合と同様に、表示パネル部３Ａがよりがたつくことなく保持される構成とすることができる。
また、図１８に示すように、フロントベゼル６の四隅は、金属部材３５を樹脂フレーム３６を介してリブ２２に接触させるために、側壁が切り欠かれた状態となっている。
【００３９】
以上のように、この発明の実施の形態２に係る表示機器１ａによれば、意匠ベゼル２の背面にリブ２２を設け、意匠ベゼル２から収縮方向の力を受けても変形しない剛性と意匠ベゼル２の線膨張係数よりも小さい線膨張係数とを有する金属部材３５が、当該金属部材３５の側方からリブ２２に挟まれることとした。したがって、実施の形態１と同様の効果を、バックライト部３Ｂが有する金属部材３５を利用して得ることができる。
【００４０】
また、バックライト部３Ｂは、意匠ベゼル２を介して表示パネル部３Ａに対して固定されていることとした。これにより、保護板３０と意匠ベゼル２の開口部２０の縁との隙間Ｓ４を小さくし、かつ、カバー板金３１がリブ２２に接触するように組み立てることが容易になる。
【００４１】
また、リブ２２は、平面視矩形状の開口部２０の四隅周りに設けられており、収縮抑制部材となる金属部材３５は、四隅の側方からリブ２２に挟まれていることとした。特に大きい応力が発生する位置にリブ２２を設けることで、効果的にクラックを発生しにくくすることができる。
【００４２】
また、バックライト部３Ｂは、表示パネル部３Ａが配置され得る範囲を照射することとした。これにより、表示パネル部３Ａが、ムラなく照らされやすくなる。
【００４３】
また、意匠ベゼル２と表示パネル部３Ａとの間に、金属製のフロントベゼル６が配置されていることとした。フロントベゼル６により、静電気対策が可能である。
【００４４】
なお、本願発明はその発明の範囲内において、各実施の形態の自由な組み合わせ、あるいは各実施の形態の任意の構成要素の変形、もしくは各実施の形態においての任意の構成要素の省略が可能である。
【産業上の利用可能性】
【００４５】
以上のように、この発明に係る表示機器は、意匠ベゼルの前面にクラックが発生しにくいので、例えば車載の表示機器として用いるのに適している。
【符号の説明】
【００４６】
１  表示機器、１ａ  表示機器、２  意匠ベゼル、３  表示モジュール、３Ａ  表示パネル部、３Ｂ  バックライト部、４  収縮抑制部材、５  クッション、６  フロントベゼル、２０  開口部、２１  枠本体、２２  リブ、２３  当て壁、２４  支持壁、２５  細リブ、３０  保護板、３１  カバー板金、３２  タッチパネル、３３  液晶パネル、３４  光学部材、３５  金属部材、３６  樹脂フレーム、３７  透明粘着層、３８  リブ、４０  空間、１００  表示機器、２００  意匠ベゼル。
【図１】
0006690863.tif 000002
【図２】
0006690863.tif 000003
【図３】
0006690863.tif 000004
【図４】
0006690863.tif 000005
【図５】
0006690863.tif 000006
【図６】
0006690863.tif 000007
【図７】
0006690863.tif 000008
【図８】
0006690863.tif 000009
【図９】
0006690863.tif 000010
【図１０】
0006690863.tif 000011
【図１１】
0006690863.tif 000012
【図１２】
0006690863.tif 000013
【図１３】
0006690863.tif 000014
【図１４】
0006690863.tif 000015
【図１５】
0006690863.tif 000016
【図１６】
0006690863.tif 000017
【図１７】
0006690863.tif 000018
【図１８】
0006690863.tif 000019
【図１９】
0006690863.tif 000020